(57)【要約】【課題】  クリスマスシーズンその他における夜間の電飾やその他の窓からのイルミネーションとしての装飾であって動画の映像のパターンを映出し、或いは、静止画であっても頻繁に表示を変更し得る簡易で実施の容易なウィンドウディスプレイ方法及びこの方法に適用されるスクリーンを提供する。【解決手段】  プロジェクタ１０からの投射光をスクリーンに設けた離散的な多数のアレイ状レンズ部を含む有効表示領域２３で離散的に各個の集光領域毎に集光し、解像を粗にしつつも輝度を高めた映像として再投射する。【選択図】  図１
2006220712.tif 000002
【特許請求の範囲】
【請求項１】
プロジェクタから透明なスクリーンの一の主面側に映像を投射し、該スクリーンの他の主面側から当該映像が観察されるようにしたウィンドウディスプレイ方法であって、前記スクリーンとして、自己の何れか一方又は双方の主面の有効表示領域を複数に区分して設定した各個の小領域である集光領域毎に集光することによって、前記プロジェクタから投射された映像光による画像の解像度を元画像におけるよりも粗にすると共に当該各個の集光領域毎の射出光の輝度を元画像の対応小領域におけるよりも高めて前記他の主面側から外部に再投射させる集光再投射部が形成されたものを適用することを特徴とするウィンドウディスプレイ方法。
【請求項２】
前記スクリーンとして、その複数の集光領域毎の集光は当該複数の集光領域毎に対応して形成された凸レンズ部によって行うものを適用することを特徴とする請求項１に記載のウィンドウディスプレイ方法。
【請求項３】
前記スクリーンとして、その複数の集光領域毎の集光は当該複数の集光領域毎に対応して形成されたフレネルレンズ部によって行うものを適用することを特徴とする請求項１に記載のウィンドウディスプレイ方法。
【請求項４】
前記スクリーンとして、その複数の集光領域毎の集光は当該複数の集光領域毎に対応して形成されたレンチキュラレンズ部によって行うものを適用することを特徴とする請求項１に記載のウィンドウディスプレイ方法。
【請求項５】
前記スクリーンの一の主面側に映像を投射する一のプロジェクタによる映像投射領域に重ねて光量増加用非映像光を投射する他のプロジェクタを更に用いることを特徴とする請求項１に記載のウィンドウディスプレイ方法。
【請求項６】
プロジェクタからスクリーンの一の主面側に映像を投射し、該スクリーンの他の主面側から当該映像が観察されるようにしたウィンドウディスプレイ方法であって、前記スクリーンとして、前記一の主面に沿って密に集合して配設された各受光面に入射する前記プロジェクタからの入射光を夫々増幅して前記他の主面に沿って前記各受光面に対応して密に集合して配設された各発光面から外部に光を投射する複数の能動発光素子が形成されたものを適用することを特徴とするウィンドウディスプレイ方法。
【請求項７】
プロジェクタからスクリーンの一の主面側に映像を投射し、該スクリーンの他の主面側から当該映像が観察されるようにしたウィンドウディスプレイ方法に適用されるスクリーンであって、自己の何れか一方又は双方の主面の有効表示領域に複数の集光領域が分散設定され、該分散設定された各個の小領域である集光領域毎に集光することによって、前記プロジェクタから投射された映像光による画像の解像度を元画像におけるよりも粗にすると共に当該各個の集光領域毎の射出光の輝度を元画像の対応小領域におけるよりも高めて前記他の主面側から外部に再投射させる集光再投射部が形成されていることを特徴とするスクリーン。
【請求項８】
前記集光再投射部は、前記複数の集光領域毎に対応して形成された凸レンズ部を含んで構成されていることを特徴とする請求項７に記載のスクリーン。
【請求項９】
前記集光再投射部は、前記複数の集光領域毎に対応して形成されたフレネルレンズ部を含んで構成されていることを特徴とする請求項７に記載のスクリーン。
【請求項１０】
前記集光再投射部は、前記複数の集光領域毎に対応して形成されたレンチキュラレンズ部を含んで構成されていることを特徴とする請求項７に記載のスクリーン。
【請求項１１】
プロジェクタからスクリーンの一の主面側に映像を投射し、該スクリーンの他の主面側から当該映像が観察されるようにしたウィンドウディスプレイ方法に適用されるスクリーンであって、前記一の主面に沿って密に集合して配設された各受光面に入射する前記プロジェクタからの入射光を夫々増幅して前記他の主面に沿って前記各受光面に対応して密に集合して配設された各発光面から外部に光を投射する複数の能動発光素子が形成されていることを特徴とするスクリーン。
【発明の詳細な説明】
【技術分野】
【０００１】
本発明は、ウィンドウディスプレイ方法及びこの方法に適用されるスクリーンに関し、特に、通常のプロジェクタを適用しても輝度の高い鮮明な発光が得られ、業務用途のみならず民家の窓辺等にも応用するに好適なウィンドウディスプレイ方法及びこの方法に適用されるスクリーンに関する。
【背景技術】
【０００２】
近年、店舗やショールーム等のガラス窓やガラス壁に、外部からの視界を遮ることなく商品やイベントの宣伝のための映像を映し出すようにして、宣伝広告機能に優れ集客力を高めようとするウインドウディスプレイシステムが提案されている。この提案では、室内側に設置されたプロジェクタからガラス窓やガラス壁側の透過スクリーンに向けて映像を投写するに際し、店舗等の室内側のガラス面に透明フィルムからなる透過スクリーンを貼着しこのスクリーン上に映像を投射することによって、外部からの視界を遮ることなく、しかも大きなスペースを必要とせずに商品やイベントの宣伝のための映像を映し出すことが可能であるとされている（特許文献１）。
【０００３】
また、太陽光等の外光が当たる環境においても、コントラストに優れ視認性の良い画像を観察者に見せることができるディスプレイ装置を提供しようとする提案がある。この提案のディスプレイ装置では、外光の当たるウインドウに装着されたスクリーンと、このスクリーンに向けて斜めから映像光を投射するプロジェクタとを備え、スクリーンは、プロジェクタから投射された映像光を観察者側に偏向させるフレネルレンズ要素と、当該映像光を水平方向に拡散させるレンチキュラレンズ要素と、外光の反射を抑制する光吸収部とを有する構成をとるというものである。
【０００４】
この提案では、スクリーンの一部に外光の反射を抑制する光吸収部で外光の反射を抑制することでき、画像のコントラストを向上させることができ、その結果、太陽光等の外光が当たる環境でも視認性の良い画像が映出され、さらに、スクリーンは、観察者方向に映像光を偏向させるフレネルレンズ要素と水平方向に映像光を拡散させるレンチキュラレンズ要素とを有するので、店舗やショールームの外にいる観察者は、スクリーンに投影されたコントラストのよい画像を観察できるとされている（特許文献２）。
【特許文献１】特開２００２−１６２６８６号公報（段落００２０、図１）
【特許文献２】特開２００４−１８４４８３号公報（段落０００５〜段落０００７、図１）
【発明の開示】
【発明が解決しようとする課題】
【０００５】
上述した何れの特許文献に提案の技術も、夜間において外部から鮮明に視認されるような輝度の高いウィンドウディスプレイを簡易な方法で実現しようとする課題認識がなく、当然ながらそのような課題解決の方途を示唆するような技術開示はなされていない。
本発明は叙上のような状況に鑑みてなされたものであり、クリスマスシーズンその他における夜間の電飾やその他の窓からのイルミネーションとしての装飾であって動画の映像のパターンを映出し、或いは、静止画であっても頻繁に表示を変更し得る簡易で実施の容易なウィンドウディスプレイ方法及びこの方法に適用されるスクリーンを提供することを目的としている。
【課題を解決するための手段】
【０００６】
上記課題を解決するべく、本願では次に列記するような技術を提案する。
（１）プロジェクタから透明なスクリーンの一の主面側に映像を投射し、該スクリーンの他の主面側から当該映像が観察されるようにしたウィンドウディスプレイ方法であって、前記スクリーンとして、自己の何れか一方又は双方の主面の有効表示領域を複数に区分して設定した各個の小領域である集光領域毎に集光することによって、前記プロジェクタから投射された映像光による画像の解像度を元画像におけるよりも粗にすると共に当該各個の集光領域毎の射出光の輝度を元画像の対応小領域におけるよりも高めて前記他の主面側から外部に再投射させる集光再投射部が形成されたものを適用することを特徴とするウィンドウディスプレイ方法。
【０００７】
上記（１）のウィンドウディスプレイ方法によれば、プロジェクタからスクリーンに投射される映像は、スクリーンの何れか一方又は双方の主面側に分散設定された複数の集光領域毎に集光されるので、映像としての解像度は元画像におけるよりも粗くなる一方で各個の集光領域毎の射出光の輝度は元画像の対応位置（対応小領域）におけるよりも高められてスクリーンの他の主面側から外部に再投射される。このため、夜間において外部から鮮明に視認されるような輝度の高いウィンドウディスプレイができる。
【０００８】
（２）前記スクリーンとして、その複数の集光領域毎の集光は当該複数の集光領域毎に対応して形成された凸レンズ部によって行うものを適用することを特徴とする（１）に記載のウィンドウディスプレイ方法。
上記（２）のウィンドウディスプレイ方法によれば、（１）のウィンドウディスプレイ方法による作用に加えて、スクリーンの複数の集光領域毎に凸レンズ部によって集光が行われ夜間において外部から鮮明に視認されるような輝度の高いウィンドウディスプレイができる。
【０００９】
（３）前記スクリーンとして、その複数の集光領域毎の集光は当該複数の集光領域毎に対応して形成されたフレネルレンズ部によって行うものを適用することを特徴とする（１）に記載のウィンドウディスプレイ方法。
上記（３）のウィンドウディスプレイ方法によれば、（１）のウィンドウディスプレイ方法による作用に加えて、スクリーンの複数の集光領域毎にフレネルレンズ部によって集光が行われ夜間において外部から鮮明に視認されるような輝度の高いウィンドウディスプレイができる。
【００１０】
（４）前記スクリーンとして、その複数の集光領域毎の集光は当該複数の集光領域毎に対応して形成されたレンチキュラレンズ部によって行うものを適用することを特徴とする（１）に記載のウィンドウディスプレイ方法。
上記（４）のウィンドウディスプレイ方法によれば、（１）のウィンドウディスプレイ方法による作用に加えて、スクリーンの複数の集光領域毎にレンチキュラレンズ部によって集光が行われ夜間において外部から鮮明に視認されるような輝度の高いウィンドウディスプレイができる。
【００１１】
（５）前記スクリーンの一の主面側に映像を投射する一のプロジェクタによる映像投射領域に重ねて光量増加用非映像光を投射する他のプロジェクタを更に用いることを特徴とする（１）に記載のウィンドウディスプレイ方法。
上記（５）のウィンドウディスプレイ方法によれば、（１）のウィンドウディスプレイ方法による作用に加えて、夜間において外部から鮮明に視認されるような特段に輝度の高いウィンドウディスプレイができる。
【００１２】
（６）プロジェクタからスクリーンの一の主面側に映像を投射し、該スクリーンの他の主面側から当該映像が観察されるようにしたウィンドウディスプレイ方法であって、前記スクリーンとして、前記一の主面に沿って密に集合して配設された各受光面に入射する前記プロジェクタからの入射光を夫々増幅して前記他の主面に沿って前記各受光面に対応して密に集合して配設された各発光面から外部に光を投射する複数の能動発光素子が形成されたものを適用することを特徴とするウィンドウディスプレイ方法。
【００１３】
上記（６）のウィンドウディスプレイ方法によれば、スクリーンの一の主面に沿って配設された各受光面に入射する前記プロジェクタからの入射光を夫々増幅して前記他の主面に沿って配設された各発光面から外部に光を投射する複数の能動発光素子によってプロジェクタからの入射光を増幅して前記他の主面側から外部に投射させることができ鮮明に視認されるようなウィンドウディスプレイができる。
【００１４】
（７）プロジェクタからスクリーンの一の主面側に映像を投射し、該スクリーンの他の主面側から当該映像が観察されるようにしたウィンドウディスプレイ方法に適用されるスクリーンであって、自己の何れか一方又は双方の主面の有効表示領域に複数の集光領域が分散設定され、該分散設定された各個の小領域である集光領域毎に集光することによって、前記プロジェクタから投射された映像光による画像の解像度を元画像におけるよりも粗にすると共に当該各個の集光領域毎の射出光の輝度を元画像の対応小領域におけるよりも高めて前記他の主面側から外部に再投射させる集光再投射部が形成されていることを特徴とするスクリーン。
【００１５】
上記（７）のスクリーンによれば、プロジェクタからそのスクリーンの一の主面側に映像を投射したときに、何れか一方又は双方の主面の有効表示領域を複数に区分して設定した各個の小領域である集光領域毎に投射光を集光することによって、前記プロジェクタから投射された映像光による画像の解像度を元画像におけるよりも粗にすると共に当該各個の集光領域毎の射出光の輝度を元画像の対応位置におけるよりも高めて前記他の主面側から外部に再投射させるため、夜間において外部から鮮明に視認されるような輝度の高いウィンドウディスプレイができる。
【００１６】
（８）前記集光再投射部は、前記複数の集光領域毎に対応して形成された凸レンズ部を含んで構成されていることを特徴とする（７）に記載のスクリーン。
上記（８）のスクリーンによれば、（７）のスクリーンによる作用に加えて、複数の集光領域毎に対応して形成された凸レンズ部によって集光が行われ夜間において外部から鮮明に視認されるような輝度の高いウィンドウディスプレイができる。
【００１７】
（９）前記集光再投射部は、前記複数の集光領域毎に対応して形成されたフレネルレンズ部を含んで構成されていることを特徴とする（７）に記載のスクリーン。
上記（９）のスクリーンによれば、（７）のスクリーンによる作用に加えて、複数の集光領域毎に対応して形成されたフレネルレンズ部によって集光が行われ夜間において外部から鮮明に視認されるような輝度の高いウィンドウディスプレイができる。
【００１８】
（１０）前記集光再投射部は、前記複数の集光領域毎に対応して形成されたレンチキュラレンズ部を含んで構成されていることを特徴とする（７）に記載のスクリーン。
上記（１０）のスクリーンによれば、（７）のスクリーンによる作用に加えて、複数の集光領域毎に対応して形成されたレンチキュラレンズ部によって集光が行われ夜間において外部から鮮明に視認されるような輝度の高いウィンドウディスプレイができる。
【００１９】
（１１）プロジェクタからスクリーンの一の主面側に映像を投射し、該スクリーンの他の主面側から当該映像が観察されるようにしたウィンドウディスプレイ方法に適用されるスクリーンであって、前記一の主面に沿って密に集合して配設された各受光面に入射する前記プロジェクタからの入射光を夫々増幅して前記他の主面に沿って前記各受光面に対応して密に集合して配設された各発光面から外部に光を投射する複数の能動発光素子が形成されていることを特徴とするスクリーン。
【００２０】
上記（１１）のスクリーンによれば、一の主面に沿って密に集合して配設されプロジェクタ側からの投射光を受光する受光面に入射する入射光を増幅して前記他の主面に沿って前記各受光面に対応して密に集合して配設された各発光面から外部に光を投射する複数の能動発光素子が配設されているため、これらの能動発光素子による発光によって夜間において外部から鮮明に視認されるような輝度の高いウィンドウディスプレイができる。
【発明を実施するための最良の形態】
【００２１】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのウィンドウディスプレイ方法を表す図である。図１において、このウィンドウディスプレイ方法は、周知の一般的なプロジェクタ１０から透明なスクリーン２０の一の主面２１側に映像を投射し、該スクリーン２０の他の主面２２側から当該映像が観察されるようにするものである。透明なスクリーン２０は、例えば、外部が見渡せる、従って、外部から容易に眺めることのできる、住宅の窓ガラスに貼り付けられ、或いは、窓ガラスの内側に沿って展開するようにして適宜の手段で吊られている。
【００２２】
従って、スクリーン２０の他の主面２２側が家の外に向く表側の面であり、一の主面２１側がこれとは反対側の裏側の面である。透明なスクリーン２０の表側の面２２及び裏側の面２１の何れか一方又は双方の有効表示領域２３は透明なスクリーン２０の主面の周縁部を除く大部分の領域であり、この有効表示領域２３は複数の集光領域に区分されて、例えば表示単位となる方形の小領域（即ち、各個の集光領域）が縦横に整列した集合として有効表示領域２３が形成されている。
【００２３】
図２は図１のスクリーン２０の表側の面２２の有効表示領域２３の様子を模式的に表す図である。図２に表わされたように、スクリーン２０のこの表側の面２２の有効表示領域２３は、例えば、一辺が数ミリメートル乃至十数ミリメートルの方形の複数の（極めて多数の）小領域２３１，２３１である集光領域に区分されている。即ち、有効表示領域２３には、これら各個の集光領域２３１，２３１毎にそれらの入射面から入射した光を集光することによって、プロジェクタ１０から投射された映像光による画像の解像度を元画像におけるよりも粗にすると共に、各個の集光領域毎の射出光の輝度を元画像の対応小領域におけるよりも高めて他の主面（表側の面）２２側から外部に再投射させる集光再投射部が形成されている。
【００２４】
図３は、図２を参照して説明した有効表示領域２３の各個の集光領域２３１，２３１毎に対応して、それらの入射面から入射した光を集光するために形成された凸レンズ部の様子を模式的に表す図である。図３に表わされたように、各個の集光領域２３１，２３１毎に対応して多数の凸レンズ部２３２，２３２によるレンズアレイが形成されている。
図４は、図３を参照して説明した凸レンズ部を拡大して側面から見た様子を表す図である。図示のように、本例では、レンズアレイの多数の凸レンズ部２３２，２３２はスクリーン２０の他の主面（表側の面）２２側に凸となるように形成され、裏側の面２１は平面状であるが、有効表示領域２３の構成はこれに限られず、上述と凸部が反対側になるように形成してもよく、また、両面とも凸となるように形成してもよい。
【００２５】
また、レンズ部は、図３及び図４を参照して説明した様な極めて一般的な凸レンズに替えて、フレネルレンズ、レンチキュラレンズ等を適用することができる。本発明では、映像の形を原画に忠実に映出するというよりも、輝度の高い鮮やかなイルミネーションとしての装飾性に主眼をおくものであるため、レンズアレイの多数の凸レンズ部の配列密度は多少粗となることも許容され、また、必ずしも、縦及び横に夫々規則的に配列するのでなく、水平方向に平行に多数本のシリンドリカルレンズが延長される如くに、或いは、このようなものに相応する光学特性を有する他の光学要素を適用して構成しても、夫々特殊効果のような表示を行うことができる。
【００２６】
図５は、表示の輝度を向上させるための本発明の他の実施の形態を表す図である。図５において、図１との対応部は同一の符号を附して示し、各個の説明は省略するが、図１のものとの相違は、映像の投射に用いるプロジェクタ１０の他に、専ら他の主面２２側からの投射光の光量を増加させるために、プロジェクタ１０による映像投射領域（即ち、スクリーン２０の有効表示領域２３）に重ねて光量増加用非映像光を投射する他のプロジェクタ１０ａを更に用いる点にある。この方法によれば、夜間において外部から鮮明に視認されるような特段に輝度の高いウィンドウディスプレイができる。
【００２７】
図６は、本発明の他の実施の形態を表す図である。図１におけると同様、周知の一般的なプロジェクタ１０からスクリーン２０（その有効表示領域２３ａ）の一の主面２１側に映像を投射し、該スクリーン２０の他の主面２２側から当該映像が観察されるようにしたウィンドウディスプレイ方法である。但し、本例では、スクリーン２０として、一の主面２１に沿って（その有効表示領域２３ａの全面に亘って）密に集合して配設された各受光面に入射する前記プロジェクタからの入射光を夫々増幅して前記他の主面に沿って前記各受光面に対応して密に集合して配設された各発光面から外部に光を投射する複数の能動発光素子２３３，２３３が形成されたものを適用することを特徴としている。
【００２８】
図７は図６のスクリーン２０の有効表示領域２３ａに適用される能動発光素子２３３を表す模式図である。図７（Ａ）のものは、プロジェクタ１０からの投射光を受ける受光素子部２３３ａと、この受光素子部２３３ａで受光した光信号を増幅する能動素子を含んで構成される増幅部２３３ｂと、この増幅部２３３ｂの出力によって発光し光を上述の他の主面２２側から投射する発光素子部２３３ｃとが一体的に組み合わされて一つの表示セルとして構成されている。
【００２９】
図７（Ｂ）は図７（Ａ）のものと略同様の構成を有する表示セルであり、図７（Ａ）との対応部は同一の符号を附して示し、各部の説明は省略するが、図７（Ａ）のものとの相違は、受光素子部２３３ａの受光面側に、プロジェクタ１０からの投射光の入射方向に合わせた指向性を持たせるためのレンズ部などによる指向性光学要素部２３３ｄが附加されている点である。従って、図７（Ｂ）の表示セルを適用してスクリーン２０の有効表示領域２３ａを構成すれば、プロジェクタ１０による映像の投射方向から外れた方向からの光による影響を受け難くなり、プロジェクタ１０による映像が良好に表示され得る。
【００３０】
図７（Ｃ）も図７（Ａ）のものと略同様の構成を有する表示セルであり、図７（Ａ）との対応部は同一の符号を附して示し、各部の説明は省略するが、図７（Ａ）のものとの相違は、自己と同様の表示セルと組み合わせて集合体を形成するに便ならしめるための２つの結合子２３３ｅが表示セルの上面側に形成され、これらの結合子２３３ｅに適合する相手方の表示セルの下面側に形成された図示されない結合用凹陥部と結合するといった結合の連なりによって、スクリーン２０の有効表示領域２３ａを構成することができるように構成されている点である。
【００３１】
図８は、図６のようなスクリーン２０ａの有効表示領域２３ａに適用される能動発光素子への動作電源の供給方法を例示する図である。スクリーン２０ａの有効表示領域２３ａは図７に例示されたような表示セルの集合によって構成されており、それら表示セルの動作用電源は、スクリーン２０ａの縦方向の一方の側縁に接してこれを支持する柱状体３０の中を通して供給されるように構成されている。これにより、有効表示領域２３ａに適用する能動発光素子として、比較的大出力の表示セルを適用することが可能になる。
【００３２】
図９は、図６のようなスクリーン２０ａの有効表示領域２３ａに適用される能動発光素子として、動作電源を自己に併設された太陽電池から供給する方法を例示する図である。プロジェクタ１０からの投射光を受ける受光素子部２３３ａと、この受光素子部２３３ａで受光した光信号を増幅する能動素子を含んで構成される増幅部２３３ｂと、この増幅部２３３ｂの出力によって発光し光を上述の他の主面２２側から投射する発光素子部２３３ｃとが一体的に組み合わされて一つの表示セルとして構成されている。
【００３３】
図示のように、この表示セルでは、受光素子部２３３ａと増幅部２３３ｂとは表裏一体に構成されている。発光面を有する発光素子部２３３ｃの一方の側端縁に略直角に接合するような形態で太陽電池部２３３ｆが設けられ、その受光面は斜め上方から入射する太陽光を効率良く受光可能なように自己の法線方向が太陽光の入射方向に略沿うような角度に設定されている。
【００３４】
この表示セルの場合は、自己の動作電源は上述のように併設された太陽電池部２３３ｆで賄われるため、能動素子を適用してスクリーン２０の有効表示領域２３ａを構成しても別途の動作用電源を確保しなくてはならないといった煩雑さが解消し、また、電力の消費を勘案して使用時間を制限しなくてはならないといった不自由さからも多分に解放されて長時間の使用に適した装置及び方法が実現される。
【００３５】
図１０は、本発明において特殊効果を得る場合の実施の形態を表す図である。図１０（Ａ）のように、プロジェクタ１０からの投射光を受けるスクリーン２０として、その位置に、或いは、スクリーン２０のプロジェクタ１０への対向面の近接位置Ｐ１（破線図示）に、若しくは、スクリーン２０のプロジェクタ１０への対向面とは反対側の面の近接位置Ｐ２（一点鎖線図示）に、図１０（Ｂ）に示すような、特殊効果用補助スクリーン２０Ｓを設置する。
【００３６】
特殊効果用補助スクリーン２０Ｓは方形の透明集光光学素子２３４，２３４がスクリーン２０の面内方向に離散的に縦横に整列して配され、それら透明集光光学素子２３４，２３４同士が可撓性の線状体で接続されて構成される。このような特殊効果用補助スクリーン２０Ｓをスクリーン２０に替えて適用し、或いはまた、上述の位置Ｐ１若しくはＰ２に設置することによって、離散的に縦横に整列された透明集光光学素子２３４，２３４の配列の面白さ、乃至は、それら透明集光光学素子２３４，２３４同士が可撓性の線状体２３５，２３５で接続されていることによる、揺らぎ等によって生じる特殊効果によって、自然画の映像とは趣を異にする装飾的な効果の高いイルミネーションが実現される。尚、透明集光光学素子２３４，２３４に替えて、或いは、その一部に替えて、単なる透明板を適用すれば、上述のものとは異なる特殊効果を奏することになる。
【００３７】
以上を総じて、本発明によれば、クリスマスシーズンその他における夜間の電飾やその他の窓からのイルミネーションとしての装飾であって動画の映像のパターンを映出し、或いは、静止画であっても頻繁に表示を変更し得る簡易で実施の容易なウィンドウディスプレイ方法及びこの方法に適用されるスクリーンを実現することができる。
【図面の簡単な説明】
【００３８】
【図１】本発明の実施形態としてのウィンドウディスプレイ方法を表す図である。
【図２】図１のスクリーンの表側の面の有効表示領域の様子を模式的に表す図である。
【図３】図２の有効表示領域に形成された凸レンズ部の様子を模式的に表す図である。
【図４】図３の凸レンズ部を拡大して側面から見た様子を表す図である。
【図５】表示の輝度を向上させるための本発明の他の実施の形態を表す図である。
【図６】本発明の他の実施の形態を表す図である。
【図７】スクリーンの有効表示領域に適用される能動発光素子を表す模式図である。
【図８】スクリーンの有効表示領域に適用される能動発光素子への動作電源の供給方法を例示する図である。
【図９】スクリーンの有効表示領域に適用される能動発光素子として動作電源を自己に併設された太陽電池から供給する方法を例示する図である。
【図１０】本発明において特殊効果を得る場合の実施の形態を表す図である。
【符号の説明】
【００３９】
１０…プロジェクタ  ２０…スクリーン  ２１…一の主面（裏側の面）  ２２…他の主面（表側の面）  ２３…有効表示領域  ３０…柱状体  ２３１…集光領域  ２３２…凸レンズ部  ２３３…能動発光素子  ２３４…透明集光光学素子  ２３５…線状体
【図１】
2006220712.tif 000003
【図２】
2006220712.tif 000004
【図３】
2006220712.tif 000005
【図４】
2006220712.tif 000006
【図５】
2006220712.tif 000007
【図６】
2006220712.tif 000008
【図７】
2006220712.tif 000009
【図８】
2006220712.tif 000010
【図９】
2006220712.tif 000011
【図１０】
2006220712.tif 000012